(57)【特許請求の範囲】
【請求項１】
靴下本体部と足の５指が入れられる指袋部とを有する５本指靴下の、裏返し状態となった前記指袋部を突出状態に戻す５本指靴下の指袋部裏返し器であって、
本体部と、前記本体部の一端側に配設される柄部と、前記本体部の他端側に配設される先端部と、を備え、
前記先端部は、板状又は枠状に形成されるとともに、前記本体部に対して湾曲又は屈曲して配設され、前記本体部の他端側となる側の外周縁部に設けられ前記指袋部が裏返し状態になったときに形成される曲がり部と当接可能な押し込み部と、前記先端部の外周側となる面に設けられ前記靴下本体部と接触して前記靴下本体部を拡開可能に形成された拡開部と、を有していることを特徴とする５本指靴下の指袋部裏返し器。
【請求項２】
靴下本体部と足の５指が入れられる指袋部とを有する５本指靴下の、裏返し状態となった前記指袋部を突出状態に戻す５本指靴下の指袋部裏返し器であって、
本体部と、前記本体部の一端側に配設される柄部と、前記本体部の他端側に配設される先端部と、を備え、
前記先端部は、板状又は枠状に形成され、前記指袋部が裏返し状態になったときに形成される曲がり部と当接可能な押し込み部と、前記靴下本体部と接触して前記靴下本体部を拡開可能に形成された拡開部と、を有し、
前記先端部から前記柄部に向かう方向を前後方向とし、前後方向に直交する一の方向を左右方向としたときに、
前記先端部は、前記指袋部に対応して左右方向に沿って五つ配設され、
左右方向からみて、両端以外に位置する複数の前記先端部と、両端に配置される前記先端部との間隔が、前記本体部の他端側に向かうにしたがって狭小となるように斜めに配置されていることを特徴とする５本指靴下の指袋部裏返し器。
【請求項３】
前記本体部は、第一本体部と、前記第一本体部に対して移動可能な第二本体部と、で構成され、
前記第一本体部には、両端に位置する前記指袋部を裏返す複数の前記先端部からなる第一の先端部群が配設され、
前記第二本体部には、両端以外に位置する前記指袋部を裏返す複数の前記先端部からなる第二の先端部群が配設され、
前記第二の先端部群が、前記５本指靴下に５本指靴下の指袋部裏返し器が挿入されるときに、前記柄部側の位置に退避した退避位置と、前記５本指靴下の前記指袋部への進入が完了した進入完了位置との間で、往復移動可能とされていることを特徴とする請求項２記載の５本指靴下の指袋部裏返し器。
【請求項４】
前記本体部は、第一本体部と、前記第一本体部に対して移動可能な第二本体部と、で構成され、
前記第一本体部には、両端及び中央に位置する前記指袋部を裏返す複数の前記先端部からなる第一の先端部群が配設され、
前記第二本体部には、両端及び中央以外に位置する前記指袋部を裏返す複数の前記先端部からなる第二の先端部群が配設され、
前記第二の先端部群が、前記５本指靴下に５本指靴下の指袋部裏返し器が挿入されるときに、前記柄部側の位置に退避した退避位置と、前記５本指靴下の前記指袋部への進入が完了した進入完了位置との間で、往復移動可能とされていることを特徴とする請求項２記載の５本指靴下の指袋部裏返し器。
【請求項５】
前記第一の先端部群を構成する前記先端部、又は／及び、前記第二の先端部群を構成する前記先端部、の左右方向における位置を調整可能な位置調整手段を備えることを特徴とする請求項３又は４記載の５本指靴下の指袋部裏返し器。
【発明の詳細な説明】
【技術分野】
【０００１】
本発明は、裏返し状態となった５本指靴下の指袋部を、突出状態に裏返すことを可能とする５本指靴下の指袋部裏返し器に関する。
【背景技術】
【０００２】
従来の５本指靴下の指返し器として、特許文献１に記載されるものがあり、これによれば、先端が球形に形成された複数の頭部を備え、各頭部は、所定の間隔を設けて支持軸部を介して柄部に並列状に取り付けられていた。そして、頭部を靴下の履き口部から靴下の先端の指袋部に向けて挿入して、指袋部の裏返りを直すこととされていた。
【先行技術文献】
【特許文献】
【０００３】
【特許文献１】特開２０１２−３４８９５号公報
【発明の概要】
【発明が解決しようとする課題】
【０００４】
しかし、特許文献１においては、どのように頭部が指袋部を案内して裏返すかは記載されていない。また、５本指靴下は伸縮性を有するものが多く、上記５本指靴下の指返し器では、図３２に示すように、頭部２０１が中心Ｃを外れて指袋部１０２の境界部分に近いところに進入すると、指袋部１０２の網掛け部分Ｘが伸びきって伸びなくなってしまうとともに、指袋部１０２に折れ曲がって裏返せない部分Ｙが残り、何回も進入動作を繰り返さないと指袋部１０２を裏返すことができないおそれがあった。
【０００５】
本出願人は、裏返っている状態の指袋部に形成される、図９、１０において符号１０３を付して示す曲がり部に着目し、そこに力を作用させて裏返すことを知見するに至った。
【０００６】
本発明は上記事情に鑑みて、指袋部を適切に裏返すことができる５本指靴下の指袋部裏返し器を提供するものである。
【課題を解決するための手段】
【０００７】
請求項１記載の発明では、靴下本体部と足の５指が入れられる指袋部とを有する５本指靴下の、裏返し状態となった指袋部を突出状態に戻す５本指靴下の指袋部裏返し器であって、本体部と、本体部の一端側に配設される柄部と、本体部の他端側に配設される先端部と、を備え、先端部は、板状又は枠状に形成されるとともに、本体部に対して湾曲又は屈曲して配設され、本体部の他端側となる側の外周縁部に設けられ指袋部が裏返し状態になったときに形成される曲がり部と当接可能な押し込み部と、先端部の外周側となる面に設けられ靴下本体部と接触して靴下本体部を拡開可能に形成された拡開部と、を有している。
【０００８】
これによれば、板状又は枠状に形成された先端部は、靴下本体部及び裏返し状態となった指袋部との接触を低減して曲がり部に到達しやすく、押し込み部で曲がり部を適切にとらえることができるので、裏返し状態になった５本指靴下の指袋部を容易に突出状態に戻すことができる。
【０００９】
また、拡開部により靴下本体部を拡開して指袋部との間に隙間を形成できるので、押し込み部を曲がり部に誘導しやすくすることができる。
【００１０】
また、靴下本体部と足の５指が入れられる指袋部とを有する５本指靴下の、裏返し状態となった指袋部を突出状態に戻す５本指靴下の指袋部裏返し器であって、本体部と、本体部の一端側に配設される柄部と、本体部の他端側に配設される先端部と、を備え、先端部は、板状又は枠状に形成され、指袋部が裏返し状態になったときに形成される曲がり部と当接可能な押し込み部と、靴下本体部と接触して、靴下本体部を拡開可能に形成された拡開部と、を有し、先端部から柄部に向かう方向を前後方向とし、前後方向に直交する一の方向を左右方向としたときに、先端部は、指袋部に対応して左右方向に沿って五つ配設され、左右方向からみて、両端以外に位置する複数の先端部と、両端に配置される先端部との間隔が、本体部の他端側に向かうにしたがって狭小となるように斜めに配置されている。
【００１１】
これによれば、指袋部が密集して突出状態に戻しにくい中央付近に位置する指袋部を、挿入動作に伴い靴下本体部を拡開させながら、曲がり部へ誘導することが可能となるので、簡単な挿入動作で指袋部を突出状態に戻すことを容易にすることができる。
【００１２】
また、本体部は、第一本体部と、第一本体部に対して移動可能な第二本体部と、で構成され、第一本体部には、両端に位置する指袋部を裏返す複数の先端部からなる第一の先端部群が配設され、第二本体部には、両端以外に位置する指袋部を裏返す複数の先端部からなる第二の先端部群が配設され、第二の先端部群が、５本指靴下に５本指靴下の指袋部裏返し器が挿入されるときに、柄部側の位置に退避した退避位置と、５本指靴下の指袋部への進入が完了した進入完了位置との間で、往復移動可能とされている。
【００１３】
これによれば、両端に位置する指袋部を、第一の先端部群で突出状態にするとともに、位置決めをしてから、中央部分に位置する第二の先端部群で残りの指袋部を突出状態とすることで、容易にすべての指袋部を突出状態とすることができる。
【００１４】
また、本体部は、第一本体部と、第一本体部に対して移動可能な第二本体部と、で構成され、第一本体部には、両端及び中央に位置する指袋部を裏返す複数の先端部からなる第一の先端部群が配設され、第二本体部には、両端及び中央以外に位置する指袋部を裏返す複数の先端部からなる第二の先端部群が配設され、第二の先端部群が、５本指靴下に５本指靴下の指袋部裏返し器が挿入されるときに、柄部側の位置に退避した退避位置と、５本指靴下の指袋部への進入が完了した進入完了位置との間で、往復移動可能とされている。
【００１５】
これによれば、両端及び中央に位置する指袋部を、第一の先端部群で突出状態にするとともに、位置決めをしてから、第二の先端部群で残りの指袋部を突出状態とすることで、容易にすべての指袋部を突出状態とすることができる。
【００１６】
また、第一の先端部群を構成する先端部、又は／及び、第二の先端部群を構成する先端部、の左右方向における位置を調整可能な位置調整手段を備える構成とすれば、５本指靴下のサイズに合わせて先端部を調整できるので、容易にすべての指袋部を突出状態とすることに寄与する。
【図面の簡単な説明】
【００１７】
【図１】本発明の第一の実施形態による５本指靴下の指袋部裏返し器の第二の先端部群が退避位置にあるときの斜視図である。
【図２】同実施形態の第二の先端部群が退避位置にあるときの平面図である。
【図３】同実施形態の第二の先端部群が退避位置にあるときの側面図である。
【図４】同実施形態の第二の先端部群が退避位置にあるときの正面図である。
【図５】同実施形態の第二の先端部群が進入完了位置にあるときの斜視図である。
【図６】同実施形態の第二の先端部群が進入完了位置にあるときの平面図である。
【図７】同実施形態の第二の先端部群が進入完了位置にあるときの側面図である。
【図８】同実施形態の第二の先端部群が進入完了位置にあるときの正面図である。
【図９】両端以外の指袋部における作用説明図である。
【図１０】両端の指袋部における作用説明図である。
【図１１】裏返し状態の５本指靴下の概略説明図である。
【図１２】５本指靴下が突出状態に戻された状態の説明図である。
【図１３】本発明の第二の実施形態による５本指靴下の指袋部裏返し器の第二の先端部群が退避位置にあるときの斜視図である。
【図１４】同実施形態の第二の先端部群が退避位置にあるときの平面図である。
【図１５】同実施形態の第二の先端部群が退避位置にあるときの側面図である。
【図１６】同実施形態の第二の先端部群が退避位置にあるときの正面図である。
【図１７】同実施形態の第二の先端部群が進入完了位置にあるときの斜視図である。
【図１８】同実施形態の第二の先端部群が進入完了位置にあるときの平面図である。
【図１９】同実施形態の第二の先端部群が進入完了位置にあるときの側面図である。
【図２０】同実施形態の第二の先端部群が進入完了位置にあるときの正面図である。
【図２１】本発明の第三の実施形態による５本指靴下の指袋部裏返し器の斜視図である。
【図２２】同実施形態の平面図である。
【図２３】同実施形態の側面図である。
【図２４】同実施形態の正面図である。
【図２５】本発明の第四の実施形態による５本指靴下の指袋部裏返し器の斜視図である。
【図２６】同実施形態の正面図である。
【図２７】本発明の第五の実施形態による５本指靴下の指袋部裏返し器の斜視図である。
【図２８】本発明の第六の実施形態による５本指靴下の指袋部裏返し器の斜視図である。
【図２９】同実施形態の正面図である。
【図３０】同実施形態の位置調整手段の（ａ）は第二位置調整手段の締結状態を解除したときの平面断面図であり、（ｂ）は第二位置調整手段の締結状態の平面断面図であり、（ｃ）は第一位置調整手段の締結状態を解除したときの平面断面図であり、（ｄ）は第一位置調整手段の締結状態の平面断面図である。
【図３１】先端部の変形例の（ａ）は平面図、（ｂ）は側面図、（ｃ）は正面図である。
【図３２】従来の５本指靴下の指返し器の概略説明図である。
【発明を実施するための形態】
【００１８】
本発明による５本指靴下の指袋部裏返し器の第一の実施形態を図面に基づいて説明する。以下の説明において、必要に応じて図面に付される矢印の、Ｆを前、Ｂを後ろ、Ｒを右、Ｌを左、Ｕを上、Ｄを下、方向とする。
【００１９】
５本指靴下の指袋部裏返し器（以下、「裏返し器」という）１０は、合成樹脂で形成され、本体部２０と、本体部２０の一端側に配設される柄部４０と、本体部２０の他端側に配設される先端部５０、８０と、を備え、図１１に示すような、靴下本体部１０１と足の５指が入れられる指袋部１０２とを有する５本指靴下１００の、裏返し状態となった指袋部１０２を、図１２に示すような突出状態に戻すものである。
【００２０】
本体部２０は、図１〜８に示すように、第一本体部３０と、第一本体部３０に対して前後方向に移動可能な第二本体部６０と、で構成されている。
【００２１】
第一本体部３０は、一対の棒状に形成された端フレーム３１と、一対の端フレーム３１を連結する棒状の三本の連結フレーム３２と、を有している。
【００２２】
各連結フレーム３２は、前後からみて、左右方向における中間部分が直線状で、左右の端部が下側に円弧状に曲げられ、下側の端部で端フレーム３１と連結されている。
【００２３】
連結フレーム３２の中間部分には、後述する第二本体部６０の中間フレーム６１をガイド可能なガイド部３３が配設されている。本実施形態では、連結フレーム３２の他の部分より突出する部分を左右方向に沿って三か所形成し、当該部分に略前後方向に沿って円形の挿通孔をそれぞれ形成することで、中間フレーム４１をガイド可能としている。
【００２４】
図１、３、４、７、８等に示すように、中央と、後側に位置する連結フレーム３２は略同一形状に形成され、前側に位置する連結フレーム３２は、上下方向の幅が、中央と、後側に位置する連結フレーム３２より小さく形成されている。
【００２５】
第一本体部３０の後端側には柄部４０が配設され、本実施形態では、端フレーム３１の後端部が内側（右側の端フレーム３１では左側、左側の端フレーム３１では右側）に屈曲したのち後方に前後方向に沿って直線状に延び、その直線状の部分の外側は、凹凸形状に形成され、手で持ったときの滑り止め機能を備えている。
【００２６】
第一本体部３０は、両端に位置する指袋部１０２を裏返す複数の先端部５０からなる第一の先端部群５３を有している。
【００２７】
先端部５０は、板状で、上下方向からみて、内側（右側の先端部５０では左側、左側の先端部５０では右側）に湾曲して略茶匙状に形成されている。
【００２８】
各端フレーム３１の前側には先端部５０が配設されている。本実施形態では、先端部５０は、右側の端フレーム３１では左側、左側の端フレーム３１では右側、に湾曲して、上下方向における最大幅が端フレーム３１の他の部分より大きい略茶匙状に形成されている。
【００２９】
先端部５０は、指袋部１０２が裏返し状態になったときに形成される曲がり部１０３と当接可能な押し込み部５１を有している。本実施形態では、先端部５０の外周縁部分で曲がり部１０３と接触して爪先側に押し込み可能な部分が押し込み部５１となる。
【００３０】
先端部５０は、曲がり部１０３の周辺の靴下本体部１０１と接触して、靴下本体部１０１を拡開可能に形成された拡開部５２を有している。本実施形態では、先端部５０の外側の面で靴下本体部１０１と接触する部分が拡開部５２となる。
【００３１】
第二本体部６０は、三本の中間フレーム６１と、三本の中間フレーム６１を連結する連結フレーム６３と、を有している。
【００３２】
各中間フレーム６１は、図３、７に示すように、左右方向からみて、後側は、直線状に形成され、前側は、前端側が緩やかに下がる円弧状に形成されている。
【００３３】
中間フレーム６１の、前側に位置する連結フレーム３２と中央に位置する連結フレーム３２の間となる径方向外側に突出したストッパ６２が配設されている。本実施形態では、ストッパ６２は、中央に位置する連結フレーム３２と当接して、第二本体部６０の後方向への移動を規制する。
【００３４】
連結フレーム６３は、棒状に形成され、三本の中間フレーム６１の後端部を連結し、第一本体部３０の後側に位置する連結フレーム３２と当接して、第二本体部６０の前方向への移動を規制するストッパとして機能する。
【００３５】
第二本体部６０の後側には、住宅に取り付けられたフック等に掛止可能な掛止フック７０が配設されている。本実施形態では、連結フレーム６３から後方に延び、後端部が一部を切り欠いた円弧状に形成されている。
【００３６】
掛止フック７０には、第二本体部６０を移動させるときに、手で操作することを可能とする持ち手部７１が配設されている。本実施形態では、直方体状に形成され、左右の面が凹凸形状とされている。
【００３７】
第二本体部６０は、両端以外に位置する複数の先端部８０からなる指袋部１０２を裏返す第二の先端部群８３を有している。
【００３８】
中間フレーム６１の前側には先端部８０が配設されている。本実施形態では、先端部８０は、下側に湾曲して、上下方向における最大幅が中間フレーム６１の他の部分より大きい略茶匙状に形成されている。
【００３９】
先端部８０は、指袋部１０２が裏返し状態になったときに形成される曲がり部１０３と当接可能な押し込み部８１を有している。本実施形態では、先端部８０の外周縁部分で曲がり部１０３と接触して押し込み可能な部分が押し込み部８１となる。
【００４０】
先端部８０は、曲がり部１０３の周辺の靴下本体部１０１と接触して、靴下本体部１０１を拡開可能に形成された拡開部８２を有している。本実施形態では、先端部８０の上側の面で靴下本体部１０１と接触する部分が拡開部８２となる。
【００４１】
第二の先端部群８３の先端部８０と、第一の先端部群５３の先端部５０との間隔は、図３、７等に示すように、前端側（特許請求の範囲の本体の他端側）に向かうにしたがって狭小となるように斜めに配置されている。
【００４２】
ここで、本明細書における、「曲がり部」とは、指袋部１０２が裏返し状態になったときに根元部分に形成される曲がり部分だけでなく、指袋部１０２が裏返し状態になった指袋部１０２においてさらに窪んで形成される曲がり部分を含むものとする。
【００４３】
裏返し器１０は、第二の先端部群８３が、５本指靴下１００に裏返し器１０が挿入されるときに、図１〜４に示す、柄部４０側に位置に退避した退避位置と、図５〜８に示す、５本指靴下１００の指袋部１０２への進入が完了した進入完了位置との間で、往復移動可能とされている。
【００４４】
第二の先端部群８３が、進入完了位置まで移動したときに、図５〜８に示すように、先端部５０、８０は、右側に位置する先端部５０から左側に位置する先端部５０に行くにしたがって、前後方向における位置が後退するように設定されている。これは、親指に対応する指袋部１０２と他の指袋部１０２との大きさの違いに対応することを考慮したものである。
【００４５】
裏返し器１０の機能作用を説明する。図１１に示す、５本指靴下１００の指袋部１０２が裏返し状態になった５本指靴下１００の履き口部１０４に、先端部５０、８０側から裏返し器１０を進入させる。詳説すると、５本指靴下１００の靴下本体部１０１は、通常履くときの表面が外側となり、指袋部１０２が靴下本体部１０１の内側に入り込んで裏返し状態となっている。
【００４６】
このとき、持ち手部７１を手で持ち、第一本体部３０に対して第二本体部６０を後側に引いておき、図１〜４に示すように、裏返し器１０の第二の先端部群８３が、後側（柄部４０側）に位置に退避した退避位置としておく。
【００４７】
第一の先端部群５３を構成する先端部５０を、両端に位置する指袋部１０２に進入させると、図１０に示すように、拡開部５２により靴下本体部１０１を左右方向における外側に拡開、整形して指袋部１０２との間に隙間を形成し、押し込み部５１を曲がり部１０３に誘導しやすくなる。
【００４８】
また、板状に形成された先端部５０は、靴下本体部１０１及び裏返し状態となった指袋部１０２との接触を低減して曲がり部１０３に到達しやすく、押し込み部５１で曲がり部１０３を適切にとらえる。
【００４９】
両端に位置する指袋部１０２を、第一の先端部群５３で突出状態にするとともに、裏返し器１０の位置決めがなされる。
【００５０】
次に、持ち手部７１を手で持ち第二本体部６０を前側に押し込み、第二の先端部群８３を中央付近に位置する残り三つの指袋部１０２に進入させる。
【００５１】
指袋部１０２が密集して突出状態に戻しにくい中央付近に位置する指袋部１０２おいては、図９に示すように、拡開部８２が挿入動作に伴い靴下本体部１０１を上側に拡開させながら、曲がり部１０３へ誘導する。そして、押し込み部８１で曲がり部１０３を適切にとらえる。
【００５２】
つまり、第一の先端部群５３で位置決めをしてから、中央部分に位置する第二の先端部群８３で残りの三つの指袋部１０２を突出状態とすることで、容易にすべての指袋部１０２を突出状態とすることができる。また、先端部５０、８０は、略茶匙状に形成されているので、裏返し器１０を５本指靴下１００から引き出すときに引っ掛かることがなく、指袋部１０２を裏返し状態に戻してしまうことがない。
【００５３】
上記構成の裏返し器１０では、靴下本体部１０１と足の５指が入れられる指袋部１０２とを有する５本指靴下１００の、裏返し状態となった指袋部１０２を突出状態に戻す５本指靴下の指袋部裏返し器であって、本体部２０と、本体部２０の一端側に配設される柄部４０と、本体部２０の他端側に配設される先端部５０、８０と、を備え、先端部５０、８０は、板状に形成され、指袋部１０２が裏返し状態になったときに形成される曲がり部１０３と当接可能な押し込み部５１、８１を有している。
【００５４】
これによれば、板状に形成された先端部５０、８０は、靴下本体部１０１及び裏返し状態となった指袋部１０２との接触を低減して曲がり部１０３に到達しやすく、押し込み部５１、８１で曲がり部１０３を適切にとらえることができるので、裏返し状態になった５本指靴下１００の指袋部１０２を容易に突出状態に戻すことができる。
【００５５】
また、先端部５０、８０を、曲がり部１０３の周辺の靴下本体部１０１と接触して、靴下本体部１０１を拡開可能に形成された拡開部５２、８２を有する構成としているので、拡開部５２、８２により靴下本体部１０１を拡開して指袋部１０２との間に隙間を形成でき、押し込み部５１、８１を曲がり部１０３に誘導しやすくすることができる。
【００５６】
また、先端部５０、８０から柄部４０に向かう方向を前後方向とし、前後方向に直交する一の方向を左右方向としたときに、先端部５０、８０は、指袋部１０２に対応して左右方向に沿って五つ配設され、左右方向からみて、両端以外に位置する複数の先端部８０と、両端に配置される先端部５０との間隔は、本体部２０の他端側に向かうにしたがって狭小となるように斜めに配置されている。
【００５７】
これによれば、指袋部１０２が密集して突出状態に戻しにくい中央付近に位置する指袋部１０２を、挿入動作に伴い靴下本体部１０１を拡開させながら、曲がり部１０３へ誘導することが可能となるので、簡単な挿入動作で指袋部１０２を突出状態に戻すことを容易にすることができる。
【００５８】
また、本体部２０は、第一本体部３０と、第一本体部３０に対して移動可能な第二本体部６０と、で構成され、第一本体部３０には、両端に位置する指袋部１０２を裏返す複数の先端部５０からなる第一の先端部群５３、第二本体部６０には、両端以外に位置する指袋部１０２を裏返す複数の先端部８０からなる第二の先端部群８３が配設され、第二の先端部群８３が、５本指靴下１００に裏返し器１０が挿入されるときに、柄部４０側の位置に退避した退避位置と、５本指靴下１００の指袋部１０２への進入が完了した進入完了位置との間で、往復移動可能とされている。
【００５９】
これによれば、両端に位置する指袋部１０２を、第一の先端部群５３で突出状態にするとともに、位置決めをしてから、中央部分に位置する第二の先端部群８３で残りの指袋部１０２を突出状態とすることで、容易にすべての指袋部１０２を突出状態とすることができる。
【００６０】
本発明の第二の実施形態を説明する。以下の説明において、第一の実施形態と同じ構成については、同一符号を付し全部又は一部の説明を省略する。
【００６１】
裏返し器１０Ａは、図１３〜２０に示すように、本体部２０Ａが、第一本体部１１０と、第一本体部１１０に対して移動可能な第二本体部１２０と、で構成されている。
【００６２】
第一本体部１１０は、一対の棒状に形成された端フレーム３１と、左右方向において端フレーム３１間に配置されるセンターフレーム１１１と、一対の端フレーム３１、センターフレーム１１１を連結する棒状の三本の連結フレーム３２と、を有している。
【００６３】
センターフレーム１１１は、前後方向において、前端部が左右に位置する端フレーム３１の前端部の中間の位置にするように形成されている。
【００６４】
各連結フレーム３２は、下側の端部で端フレーム３１と連結され、中央部でセンターフレーム１１１と連結されている。
【００６５】
本実施形態では、ガイド部３３は、連結フレーム３２の他の部分より突出する部分を裏返し器１０より一か所少ない二か所形成されている。
【００６６】
第一本体部１１０は、両端に位置する指袋部１０２を裏返す複数の先端部５０、１３０からなる第一の先端部群１３３を有している。
【００６７】
センターフレーム１１１に配設される先端部１３０は、先端部８０と同様の構成で、左右方向からみて、下側に湾曲して略茶匙状に形成されている。押し込み部１３１、拡開部１３２は、先端部８０と同様である。
【００６８】
第二の先端部群１４３が、進入完了位置まで移動したときに、図１７〜２０に示すように、先端部５０、８０、１３０は、右側に位置する先端部５０から左側に位置する先端部５０に行くにしたがって、前後方向における位置が後退するように設定されている。
【００６９】
第二本体部１２０は、二本の中間フレーム６１と、二本の中間フレーム６１を連結する連結フレーム６３と、を有している。
【００７０】
連結フレーム６３は、棒状に形成され、二本の中間フレーム６１の後端部を連結し、第一本体部１１０の後側に位置する連結フレーム３２と当接して、第二本体部１２０の前方向への移動を規制するストッパとして機能する。第二本体部１２０は、両端以外に位置する二つの先端部８０からなる指袋部１０２を裏返す第二の先端部群１４３を有している。
【００７１】
つまり、第一の先端部群１３３は、第一の先端部群５３に対してセンターフレーム１１１に配設される先端部１３０が追加され、第二の先端部群１４３は、第二の先端部群８３に対して中央に位置する中間フレーム６１に配設される先端部８０が無くなった構成となる。
【００７２】
裏返し器１０Ａは、第二の先端部群１４３が、５本指靴下１００に裏返し器１０Ａが挿入されるときに、図１３〜１６に示す、柄部４０側に位置に退避した退避位置と、図１７〜２０に示す、５本指靴下１００の指袋部１０２への進入が完了した進入完了位置との間で、往復移動可能とされている。
【００７３】
このような構成とすれば、両端及び中央に位置する指袋部１０２を、第一の先端部群１３３で突出状態にするとともに、位置決めをしてから、第二の先端部群１４３で残りの指袋部１０２を突出状態とすることで、容易にすべての指袋部１０２を突出状態とすることができる。
【００７４】
本発明の第三の実施形態を説明する。以下の説明において、第一の実施形態と同じ構成については、同一符号を付し全部又は一部の説明を省略する。
【００７５】
裏返し器１０Ｂは、図２１〜２６に示すように、本体部２０Ｂが、一対の棒状に形成された端フレーム３１と、三本の連結フレーム３２と、三本の連結フレーム３２と連結する三本の中間フレーム６１と、を図５〜８に示した状態進入完了位置の状態で、一体化した構成とされている。
【００７６】
このような構成としても、押し込み部５１、８１で曲がり部１０３を適切にとらえるとともに、拡開部５２、８２により靴下本体部１０１を拡開してすべての指袋部１０２を突出状態とすることができる。
【００７７】
本発明の第四の実施形態を説明する。以下の説明において、第一の実施形態と同じ構成については、同一符号を付し全部又は一部の説明を省略する。
【００７８】
裏返し器１０Ｃでは、端フレーム３１に配設される先端部１６０は、端フレーム３１ごと先端部５０を９０°回転させたもので、板状で、左右方向からみて、下側に湾曲して略茶匙状に形成されている。押し込み部５１、拡開部５２は、先端部５０と同様である。
【００７９】
このような構成としても、押し込み部５１、８１で曲がり部１０３を適切にとらえるとともに、拡開部５２、８２により靴下本体部１０１を拡開してすべての指袋部１０２を突出状態とすることができる。
【００８０】
本発明の第五の実施形態を説明する。以下の説明において、第一の実施形態と同じ構成については、同一符号を付し全部又は一部の説明を省略する。
【００８１】
裏返し器１０Ｄでは、図２７に示すように、本の棒状の本体部２０と、本体部２０の一端側に配設される柄部１７０と、本体部２０Ｃの他端側に配設される先端部１８０と、を備えている。先端部１８０は、枠状に形成され、指袋部１０２が裏返し状態になったときに形成される曲がり部１０３と当接可能な押し込み部１８１を有している。曲がり部１０３の周辺の靴下本体部１０１と接触して、靴下本体部１０１を拡開可能に形成された拡開部１８２を有している。先端部１８０の椀曲部分の外側の靴下本体部１０１と接触する部分が拡開部１８２となる。
【００８２】
このような構成としても、一つ一つの指袋部１０２を裏返すことで、すべての指袋部１０２を突出状態とすることができる。
【００８３】
本発明の第六の実施形態を説明する。以下の説明において、第一の実施形態と同じ構成については、同一符号を付し全部又は一部の説明を省略する。
【００８４】
裏返し器１０Ｅは、第一位置調整手段１９０、第二位置調整手段１９１を備えている。第一位置調整手段１９０は、第一の先端部群５３を構成する先端部５０、第二位置調整手段１９１は、第二の先端部群８３を構成する先端部８０の、左右方向における位置を調整可能としている。
【００８５】
第一位置調整手段１９０は、図２８、２９、３０（ｃ）、（ｄ）に示すように、右調整フレーム３７、左調整フレーム３８と、締結部材３９と、で構成されている。なお、右調整フレーム３７、左調整フレーム３８は、端フレーム３１より高剛性に設定されている。
【００８６】
右調整フレーム３７は、右側の端フレーム３１から左側に延び、自由端側の後面には凹凸形状に形成された右咬合部３７ａが配設されている。
【００８７】
左調整フレーム３８は、左側の端フレーム３１から右側に延び、自由端側の前面には右咬合部３７ａと対応した凹凸形状に形成された左咬合部３８ａが配設されている。
【００８８】
締結部材３９は、左右方向の端部開口した四角筒状に形成されたハウジング３９ａと、ハウジング３９ａを挿通する調整ねじ３９ｂと、調整ねじの先端に取り付けられた押圧板３９ｃと、で構成され、内周側で右調整フレーム３７及び左調整フレーム３８を締結可能とされている。
【００８９】
本実施形態では、締結部材３９は、ハウジング３９ａ前側の壁に前後方向に貫通して形成されたねじ孔に調整ねじ３９ｂが挿通され、調整ねじ３９ｂの前端に押圧板３９ｃが取り付けられ、調整ねじ３９ｂを回転させることで、押圧板３９ｃが前後方向に移動して右調整フレーム３７及び左調整フレーム３８を押圧し、右調整フレーム３７及び左調整フレーム３８を締結可能としている。
【００９０】
第二位置調整手段１９１は、図２８、２９、３０（ａ）、（ｂ）に示すように、ガイド部３３Ｅと、右調整フレーム３４、左調整フレーム３５と、締結部材３６と、で構成されている。なお、右調整フレーム３４、左調整フレーム３５は、中間フレーム６１より高剛性に設定されている。
【００９１】
ガイド部３３Ｅは、前側に位置する連結フレーム３２の右側及び左側に位置し、本実施形態では、略前後方向に沿って貫通してそれぞれ左右方向に長い長孔形状の挿通孔を形成することで、右側及び左側に位置する中間フレーム６１をそれぞれ左右方向に拡開可能とされている。
【００９２】
右調整フレーム３４は、右側の中間フレーム６１から下側に延びさらに左側に延びた略逆Ｌ字状に形成され、自由端側の後面には凹凸形状に形成された右咬合部３４ａが配設されている。
【００９３】
左調整フレーム３５は、左側の中間フレーム６１から下側に延びさらに右側に延びた略Ｌ字状に形成され、自由端側の前面には右咬合部３４ａと対応した凹凸形状に形成された左咬合部３５ａが配設されている。
【００９４】
締結部材３６は、左右方向の端部開口した四角筒状に形成されたハウジング３６ａと、ハウジング３６ａを挿通する調整ねじ３６ｂと、調整ねじ３６ｂの先端に取り付けられた押圧板３６ｃと、で構成され、内周側で右調整フレーム３４及び左調整フレーム３５を締結可能とされている。
【００９５】
本実施形態では、締結部材３６は、ハウジング３６ａの後側の壁に前後方向に貫通して形成されたねじ孔に調整ねじ３６ｂが挿通され、調整ねじ３６ｂの前端に押圧板３６ｃが取り付けられ、調整ねじ３６ｂを回転させることで、押圧板３６ｃが前後方向に移動して右調整フレーム３４及び左調整フレーム３５を押圧し、右調整フレーム３４及び左調整フレーム３５を締結可能としている。
【００９６】
使用態様としては、右咬合部３４ａと左咬合部３５ａ、及び、右咬合部３７ａと左咬合部３８ａとを、５本指靴下のサイズに合わせて咬合させる。このとき、ガイド部３３Ｅは、左右方向に長い長孔で形成されているので、左側の中間フレーム６１及び右側の中間フレーム６１は、左右方向に狭めたり、広げたりすることが可能となるとともに、各端フレーム３１も、左右方向に狭めたり、広げたりすることが可能となる。それにともない先端部５０、８０の左右方向における位置を調整することが可能となる。さらに、調整ねじ３６ｂを回転させて押圧板３６ｃを移動させ、右調整フレーム３４及び左調整フレーム３５を締結させるとともに、調整ねじ３９ｂを回転させて押圧板３９ｃを移動させ、右調整フレーム３７及び左調整フレーム３８を締結させる。そして、裏返し器１０Ｅを５本指靴下１００に進入させて指袋部１０２を裏返す。
【００９７】
上記構成により、５本指靴下１００のサイズに合わせて先端部５０、８０を調整できるので、容易にすべての指袋部１０２を突出状態とすることに寄与する。
【００９８】
先端部５０、８０、１３０、１６０、１８０の変形例を以下に説明する。第一〜六の実施形態と共通する構成については、同一符号を付し説明の全部又は一部を省略する。
【００９９】
図３１（ａ）、（ｂ）、（ｃ）に示すように、端フレーム３１、中間フレーム６１、センターフレーム１１１、本体部２０Ｄの前側を三又状に形成し、前後方向からみて上下に偏平な楕円周上に、それぞれ対応する先端部５０、８０、１３０、１６０、１８０を配設して、指袋部１０２の上下に生じる曲がり部１０３をそれぞれ押し込み可能としている。
【０１００】
先端部５０、８０、１３０、１６０を複数配設する場合、先端部５０、８０、１３０、１６０が配設される、端フレーム３１、中間フレーム６１、センターフレーム１１１を、直線状に形成し前後方向に沿って配置するとともに、左右方向からみて、上下方向の高さを揃えて配置することが望ましい。
【０１０１】
このような構成として、指袋部１０２を上下方向において挟み込み可能とすることにより、容易にすべての指袋部１０２を突出状態とすることもできる。
【０１０２】
本発明の５本指靴下の指袋部裏返し器は上記実施形態に限定されるものではない。即ち、本発明の要旨を逸脱しない限り各種の設計変更等が可能である。
【０１０３】
例えば、先端部は、一つ、五つ以外の、二〜四つ配設することも可能である。
【０１０４】
また、先端部５０、８０、１３０、１６０、１８０の前端の位置を揃えることもできる。
【０１０５】
また、先端部５０、８０、１３０、１６０、１８０は、靴下本体部１０１及び指袋部１０２を突き破らないのであれば、湾曲させるのではなく、屈曲させることも可能であり、さらに、湾曲、屈曲しない平板状に形成することも可能である。
【０１０６】
また、先端部５０、８０、１３０、１６０は、先端部１８０のように枠体状に形成することもできる。
【０１０７】
また、先端部８０、１３０は、左右方向からみて、両端に配置される先端部５０に対して、斜めに配置せずに先端部５０と揃えて配置することも可能である。
【０１０８】
また、先端部５０と端フレーム３１の前側、先端部８０と中間フレーム６１の前側、先端部１３０とセンターフレーム１１１の前側、先端部１６０と端フレーム３１の前側、先端部１８０と本体部２０Ｄの前側を、当該部分の後側より剛性を低く設定して撓みやすくすることも可能である。
【０１０９】
また、本体部は、金属製の線状部材を曲げ加工等して形成したり、金属に合成樹脂を被覆して形成したりすることも可能である。
【０１１０】
また、裏返し器１０Ｅにおいて、第一位置調整手段１９０、第二位置調整手段１９１、のいずれか一方のみ配設することも可能である。
【０１１１】
また、第一位置調整手段１９０、第二位置調整手段１９１を、裏返し器１０Ａに適用することも可能である。
【符号の説明】
【０１１２】
１０  裏返し器
１０Ａ  裏返し器
１０Ｂ  裏返し器
１０Ｃ  裏返し器
１０Ｄ  裏返し器
１０Ｅ  裏返し器
２０  本体部
２０Ａ  本体部
２０Ｂ  本体部
２０Ｃ  本体部
３０  第一本体部
４０  柄部
４０Ｃ  柄部
５０  先端部
５１  押し込み部
５２  拡開部
５３  第一の先端部群
６０  第二本体部
８０  先端部
８１  押し込み部
８２  拡開部
８３  第二の先端部群
１００  ５本指靴下
１０１  靴下本体部
１０２  指袋部
１０３  曲がり部
１１０  第一本体部
１２０  第二本体部
１３０  先端部
１３３  第一の先端部群
１４３  第二の先端部群
１６０  先端部
１７０  柄部
１８０  先端部
１８１  押し込み部
１８２  拡開部
１９０  第一位置調整手段
１９１  第二位置調整手段
【要約】
【課題】指袋部を適切に裏返すことができる５本指靴下の指袋部裏返し器を提供する。
【解決手段】裏返し器１０を、本体部２０と、本体部２０の一端側に配設される柄部４０と、本体部２０の他端側に配設される先端部５０、８０と、を備え、先端部５０、８０は、板状に形成され、指袋部１０２が裏返し状態になったときに形成される曲がり部１０３と当接可能な押し込み部５１、８１を有する構成とし、靴下本体部１０１と足の５指が入れられる指袋部１０２とを有する５本指靴下１００の、裏返し状態となった指袋部１０２を突出状態に戻すことを可能とする。
【選択図】図１【図１】
0005874991.tif 000002
【図２】
0005874991.tif 000003
【図３】
0005874991.tif 000004
【図４】
0005874991.tif 000005
【図５】
0005874991.tif 000006
【図６】
0005874991.tif 000007
【図７】
0005874991.tif 000008
【図８】
0005874991.tif 000009
【図９】
0005874991.tif 000010
【図１０】
0005874991.tif 000011
【図１１】
0005874991.tif 000012
【図１２】
0005874991.tif 000013
【図１３】
0005874991.tif 000014
【図１４】
0005874991.tif 000015
【図１５】
0005874991.tif 000016
【図１６】
0005874991.tif 000017
【図１７】
0005874991.tif 000018
【図１８】
0005874991.tif 000019
【図１９】
0005874991.tif 000020
【図２０】
0005874991.tif 000021
【図２１】
0005874991.tif 000022
【図２２】
0005874991.tif 000023
【図２３】
0005874991.tif 000024
【図２４】
0005874991.tif 000025
【図２５】
0005874991.tif 000026
【図２６】
0005874991.tif 000027
【図２７】
0005874991.tif 000028
【図２８】
0005874991.tif 000029
【図２９】
0005874991.tif 000030
【図３０】
0005874991.tif 000031
【図３１】
0005874991.tif 000032
【図３２】
0005874991.tif 000033